(57)【要約】【課題】ケーブルを使用しなくなり、ケーブルの複雑な接続を回避でき、測定子と制御ユニットとの間の距離を大幅に増加可能になり、制御ユニットの数量を低減可能になる位置測定フィードバック用コードレス伝送システムを提供する。【解決手段】レールに変位可能に組み付けられる移動載せ具と、前記移動載せ具に組み付けられ、測定子と、コードレスモジュールと、を含む測定ヘッドと、前記移動載せ具に組み付けられ、前記測定ヘッドとの間に一定距離が置いているスケールと、前記コードレスモジュールからのデータを処理して、前記移動載せ具の位置を表示して、位置決め又はカッティングなどの動作を処理する制御ユニットと、を含む位置測定フィードバック用コードレス伝送システムにおいて、前記測定ヘッドは、前記スケールから関連位置を読み取って、前記位置信号をデジタル信号に変換して前記コードレスモジュールにより伝送する。【選択図】図２
2008196939.tif 000002
【特許請求の範囲】
【請求項１】
レールに変位可能に組み付けられる移動載せ具と、
前記移動載せ具に組み付けられ、測定子と、コードレスモジュールと、を含む測定ヘッドと、
前記移動載せ具に組み付けられ、前記測定ヘッドとの間に一定距離が置いているスケールと、
前記コードレスモジュールからのデータを処理して、前記移動載せ具の位置を表示して、位置決め又はカッティングなどの動作を処理する制御ユニットと、を含む位置測定フィードバック用コードレス伝送システムにおいて、
前記測定ヘッドは、前記スケールから関連位置を読み取って、前記位置信号をデジタル信号に変換して前記コードレスモジュールにより伝送することを特徴とする、
位置測定フィードバック用コードレス伝送システム。
【請求項２】
前記制御ユニットはディスプレーであることを特徴とする、請求項１に記載の位置測定フィードバック用コードレス伝送システム。
【請求項３】
更に、複数の測定ヘッドを前記制御ユニットに連接してもいいことを特徴とする、請求項１に記載の位置測定フィードバック用コードレス伝送システム。
【請求項４】
前記制御ユニットはコントローラであることを特徴とする、請求項１に記載の位置測定フィードバック用コードレス伝送システム。
【発明の詳細な説明】
【技術分野】
【０００１】
本発明は、位置測定フィードバック装置に係り、特に、位置測定フィードバック用コードレス伝送システムに関するものである。
【背景技術】
【０００２】
近年、工作機械の加工は、微細化、精密化およびナノメータクラスへ進展しており、工作機械の加工精度が製品の品質に直接に影響し、そして工作機械は、高精度の測定装置を使用しないと、その精度は大幅に向上できない。
【０００３】
従来の位置測定器は、図１に示すように、伝送ケーブル１３を介して測定子１１をディスプレー１２またはコントローラと連接して使用するものであり、この方式により必要な位置データを精確に読み取ることができるが、従来の位置測定器は、測定子１１とディスプレー１２とが伝送ケーブル１３で電気的に連接することが必要であり、すなわち、ケーブルにより位置データを伝送することが必要であり、だから、ケーブルと共に、ケーブルを整理するためのケーブル溝を使用することも必要になり、測定子１１とディスプレー１２との間の距離が長い場合には、ケーブルによるコストが増加し、そしてケーブル１３が長すぎると、信号の強さが減衰になり、且つノイズがケーブル１３に侵入すると、ディスプレーには間違った情報が表示される虞がある。
【発明の開示】
【発明が解決しようとする課題】
【０００４】
本発明の主な目的は、ケーブルの代わりにコードレス技術を採用し、測定子で読み取った情報を制御ユニット（コントローラ、又はディスプレー）に伝送することにより、ケーブルを使用しなくなり、且つケーブルの複雑な接続を回避できる位置測定フィードバック用コードレス伝送システムを提供することにある。
【０００５】
本発明の次の目的は、コードレス伝送技術を採用するので、測定子と制御ユニット（コントローラ、又はディスプレー）との間の距離を大幅に増加可能な位置測定フィードバック用コードレス伝送システムを提供することにある。
【０００６】
本発明の別の目的は、コードレス伝送技術を採用して、複数組の位置情報を制御ユニット（コントローラ、又はディスプレー）に伝送することができるので、制御ユニット（コントローラ、又はディスプレー）の数量を低減可能な位置測定フィードバック用コードレス伝送システムを提供することにある。
【課題を解決するための手段】
【０００７】
上記目的を達成するためになされた本願の発明は、レールに変位可能に組み付けられる移動載せ具と、前記移動載せ具に組み付けられ、測定子と、コードレスモジュールと、を含む測定ヘッドと、前記移動載せ具に組み付けられ、前記測定ヘッドとの間に一定距離が置いているスケールと、前記コードレスモジュールからのデータを処理して、前記移動載せ具の位置を表示して、位置決め又はカッティングなどの動作を処理する制御ユニットと、を含む位置測定フィードバック用コードレス伝送システムにおいて、前記測定ヘッドは、前記スケールから関連位置を読み取って、前記位置信号をデジタル信号に変換して前記コードレスモジュールにより伝送することを特徴とする位置測定フィードバック用コードレス伝送システムであることを要旨としている。
【０００８】
本願の発明では、前記制御ユニットはディスプレーであることを特徴とする請求項１に記載の位置測定フィードバック用コードレス伝送システムであることを要旨としている。
【０００９】
本願の発明では、更に、複数の測定ヘッドを前記制御ユニットに連接してもいいことを特徴とする請求項１に記載の位置測定フィードバック用コードレス伝送システムであることを要旨としている。
【００１０】
本願の発明では、前記制御ユニットはコントローラであることを特徴とする請求項１に記載の位置測定フィードバック用コードレス伝送システムであることを要旨としている。
【発明の効果】
【００１１】
本発明の位置測定フィードバック用コードレス伝送システムによれば、次のような効果がある。
【００１２】
（イ）ケーブルの代わりにコードレス技術を採用し、測定子で読み取った情報を制御ユニット（コントローラ、又はディスプレー）に伝送することにより、ケーブルを使用しなくなり、且つケーブルの複雑な接続を回避できる。
【００１３】
（ロ）コードレス伝送技術を採用するので、測定子と制御ユニット（コントローラ、又はディスプレー）との間の距離を大幅に増加可能である。
【００１４】
（ハ）コードレス伝送技術を採用して、複数組の位置情報を制御ユニット（コントローラ、又はディスプレー）に伝送することができるので、制御ユニット（コントローラ、又はディスプレー）の数量を低減可能である。
【発明を実施するための最良の形態】
【００１５】
以下、添付図面を参照して本発明の好適な実施の形態を詳細に説明する。
【００１６】
まず、図２を参照する。本発明の実施例の位置測定フィードバック用コードレス伝送システムは、主に、移動載せ具２と、測定ヘッド３と、スケール４と、制御ユニット５（コントローラ、又はディスプレー）と、を含む。
【００１７】
前記移動載せ具２は、レール２１に変位可能に組み付けられ、前記レール２１は、例えば木材加工機械または金属カッターに組み付けられる。
【００１８】
前記測定ヘッド３は、前記移動載せ具２に組み付けられ、測定子と、コードレスモジュールとを含み、情報を取った後に、コードレスモジュールにより前記情報を伝送するものである。
【００１９】
前記スケール４は、前記移動載せ具２に組み付けられ、前記測定ヘッド３との間に一定距離が置いており、前記スケール４から関連位置を読み取って、前記位置信号をデジタル信号に変換して前記コードレスモジュールにより伝送するものである。
【００２０】
前記制御ユニット５（コントローラ、又はディスプレー）は、前記コードレスモジュールからのデータを処理して、前記移動載せ具２を制御し、又は前記移動載せ具２の位置を表示して、位置決め又はカッティングなどの動作を処理し、前記測定ヘッド３内に設けられた前記コードレスモジュールにより情報を交換することが如何しても必要である。
【００２１】
また、本発明は、コードレス伝送技術を採用するので、木材加工機械または金属カッターが前記制御ユニット５（コントローラ、又はディスプレー）から長距離に離れても、制御処理を確実に実施することができる。
【００２２】
また、図３を参照する。図３に示すように、複数の測定ヘッド３を一つの制御ユニット５（コントローラ、又はディスプレー）と連接することができ、すなわち、複数組の位置情報を一つの制御ユニット５（コントローラ、又はディスプレー）に同時に伝送することができ、だから、複数組の位置測定器が一つの制御ユニット５（コントローラ、又はディスプレー）を共用することができ、使用時には、コードレスモジュールのＩＤ値を別々に設定すればいいので、制御ユニット５（コントローラ、又はディスプレー）の数量を低減可能になる。
【図面の簡単な説明】
【００２３】
【図１】従来の位置測定器の斜視概略図である。
【図２】本発明の組合状態の斜視図である。
【図３】本発明の複数の測定ヘッドが一つの制御ユニットに連接された状態を示す斜視概略図である。
【符号の説明】
【００２４】
１１      測定子                          
１２      ディスプレー
１３      伝送ケーブル
２        移動載せ具
２１      レール
３        測定ヘッド
４        スケール
５        制御ユニット
【図１】
2008196939.tif 000003
【図２】
2008196939.tif 000004
【図３】
2008196939.tif 000005